(57)【要約】【課題】ＰＳＴＮに比べ安価なＩＰ網を利用するにあたり、ＰＳＴＮ経由かＩＰ網経由かユーザが容易に判断させることが可能なファクシミリ装置およびファクシミリ通信方法を提供する。【解決手段】マルチファンクション装置は、ファクシミリ通信を行う際に、ファクシミリモジュール部のＣＰＵが機能として有する使用回線判断手段によりＰＳＴＮ経由のファクシミリ通信かＩＰ網経由のファクシミリ通信かを判断し、マルチファンクションコントロール部のＣＰＵが機能として有する使用回線報知手段により使用回線判断手段が判断したファクシミリ通信の使用回線をユーザに対して報知する。【選択図】図１
2006094025.tif 000002
【特許請求の範囲】
【請求項１】
公衆交換電話網経由のファクシミリ通信およびＩＰ網経由のファクシミリ通信を行うファクシミリ装置において、
前記ファクシミリ通信の使用回線が前記公衆交換電話網であるか前記ＩＰ網であるかを判断する使用回線判断手段と、
前記使用回線判断手段で判断した使用回線を送信側に報知する使用回線報知手段と
を具備することを特徴とするファクシミリ装置。
【請求項２】
前記使用回線判断手段は、
前記ＩＰ網経由のファクシミリ通信を行う際に、相手先と自局とが同一事業者であるか否か確認し、
前記使用回線報知手段は、
前記使用回線判断手段で前記相手先と前記自局とが同一事業者ではないと判断した場合、通信費が有料であることを報知する
ことを特徴とする請求項１記載のファクシミリ装置。
【請求項３】
前記使用回線報知手段は、
前記使用回線の報知を、音、光、表示手段への表示、印刷、電子メールで行う
ことを特徴とする請求項１記載のファクシミリ装置。
【請求項４】
公衆交換電話網およびＩＰ網と接続するファクシミリ装置のファクシミリ通信方法において、
ファクシミリ通信の使用回線が前記公衆交換電話網であるか前記ＩＰ網であるかを使用回線判断手段により判断し、
該判断した使用回線を使用回線報知手段により送信側に報知する
ことを特徴とするファクシミリ装置のファクシミリ通信方法。
【請求項５】
前記使用回線判断手段は、
前記ＩＰ網経由のファクシミリ通信を行う際に、相手先と自局とが同一事業者であるか否か確認し、
前記使用回線報知手段は、
前記使用回線判断手段で前記相手先と前記自局とが同一事業者ではないと判断した場合、通信費が有料であることを報知する
ことを特徴とする請求項４記載のファクシミリ装置のファクシミリ通信方法。
【請求項６】
前記使用回線報知手段は、
前記使用回線の報知を、音、光、表示手段への表示、印刷、電子メールで行う
ことを特徴とする請求項４記載のファクシミリ装置のファクシミリ通信方法。
【発明の詳細な説明】
【技術分野】
【０００１】
本発明は、ファクシミリ装置およびファクシミリ通信方法に関し、特に、ＩＰ網を使用した通信を行うファクシミリ通信とを行うファクシミリ装置およびファクシミリ通信方法に関する。
【背景技術】
【０００２】
従来、ファクシミリ通信はＰＳＴＮ（公衆交換電話網：例えば、アナログ網またはＩＳＤＮ）で行ってきたが、最近では、端末と交換局間は従来のＰＳＴＮを使用し、交換局からゲートウェイを通じてＩＰディジタル網（以後、ＩＰ網と称する）を使用するＩＰ電話が普及していることから、ＩＰ網を介してファクシミリ通信を行うファクシミリ装置が登場している。
【０００３】
現状は、コントロールパネル上にファクシミリ通信の通信速度または相手先等を表示することに留まっており、今後はコスト面においてもユーザにとって状況を把握し易い且つ使い易いファクシミリ装置を提供する必要がある。
【０００４】
例えば、ＩＳＤＮを利用した三者通話中にファクシミリ送信する時、回線１および回線２を表示することで、ファクシミリ使用回線を選択させる通信装置、通信装置の制御方法、および通信装置の制御プログラムを格納したコンピュータ読取可能な記憶媒体がある（例えば、特許文献１参照。）。
【０００５】
また、例えば、表示の溢れ状況をマーク表示によって、予め決められた入力可能桁数を現在の入力状況をカーソル表示、及びアラームによって使用者に知らせる通信装置のダイヤル表示方式がある（例えば、特許文献２参照。）。
【０００６】
また、例えば、短縮ダイヤル情報として回線種別を表示する通信装置及び通信システムがある（例えば、特許文献３参照。）。
【特許文献１】特開２００１−２１１２６７号公報
【特許文献２】特開平５−３１６１９４号公報
【特許文献３】特開平６−２９１９１４号公報
【発明の開示】
【発明が解決しようとする課題】
【０００７】
しかし、ＰＳＴＮ経由のファクシミリ通信と、ＩＰ網経由のファクシミリ通信とを行うことかできるファクシミリ装置では、ＰＳＴＮ経由とＩＰ網経由とでは通信費が大きく異なり、ＩＰ網経由の場合は通信費が非常に安いことが特徴であり、ユーザにとってＰＳＴＮ経由かＩＰ網経由かは、通信費の点でどちらでファクシミリ通信を行っているか判断し易い機能が必要とされており、上記特許文献１に記載の技術、上記特許文献２に記載の技術および上記特許文献３に記載の技術では、発呼番号、短縮ダイヤル登録内容等を容易に確認するための施策であり、ＰＳＴＮ経由かＩＰ網経由かを表示することができないため、ユーザが通信費に対して注意することが困難である。
【０００８】
そこで、本発明は、ＰＳＴＮに比べ安価なＩＰ網を利用するにあたり、ＰＳＴＮ経由かＩＰ網経由かユーザが容易に判断させることが可能なファクシミリ装置およびファクシミリ通信方法を提供することを目的とする。
【課題を解決するための手段】
【０００９】
上記目的を達成するため、請求項１の発明は、公衆交換電話網経由のファクシミリ通信およびＩＰ網経由のファクシミリ通信を行うファクシミリ装置において、前記ファクシミリ通信の使用回線が前記公衆交換電話網であるか前記ＩＰ網であるかを判断する使用回線判断手段と、前記使用回線判断手段で判断した使用回線を送信側に報知する使用回線報知手段とを具備することを特徴とする。
【００１０】
また、請求項２の発明は、請求項１の発明において、前記使用回線判断手段は、前記ＩＰ網経由のファクシミリ通信を行う際に、相手先と自局とが同一事業者であるか否か確認し、前記使用回線報知手段は、前記使用回線判断手段で前記相手先と前記自局とが同一事業者ではないと判断した場合、通信費が有料であることを報知することを特徴とする。
【００１１】
また、請求項３の発明は、請求項１の発明において、前記使用回線報知手段は、前記使用回線の報知を、音、光、表示手段への表示、印刷、電子メールで行うことを特徴とする。
【００１２】
また、請求項４の発明は、公衆交換電話網およびＩＰ網と接続するファクシミリ装置のファクシミリ通信方法において、ファクシミリ通信の使用回線が前記公衆交換電話網であるか前記ＩＰ網であるかを使用回線判断手段により判断し、該判断した使用回線を使用回線報知手段により送信側に報知することを特徴とする。
【００１３】
また、請求項５の発明は、請求項４の発明において、前記使用回線判断手段は、前記ＩＰ網経由のファクシミリ通信を行う際に、相手先と自局とが同一事業者であるか否か確認し、前記使用回線報知手段は、前記使用回線判断手段で前記相手先と前記自局とが同一事業者ではないと判断した場合、通信費が有料であることを報知することを特徴とする。
【００１４】
また、請求項６の発明は、請求項４の発明において、前記使用回線報知手段は、前記使用回線の報知を、音、光、表示手段への表示、印刷、電子メールで行うことを特徴とする。
【発明の効果】
【００１５】
本発明によれば、ＰＳＴＮ経由かＩＰ網経由かユーザが容易に判断することができ、ユーザがファクシミリの通信費に対して注意することが可能になるという効果を奏する。
【発明を実施するための最良の形態】
【００１６】
以下、本発明に係るファクシミリ装置およびファクシミリ通信方法の一実施の形態について、添付図面を参照して詳細に説明する。
【００１７】
図１は、本発明を適用した複合機装置（以後、マルチファンクション装置と称する）１の構成例を示した図である。
【００１８】
図１に示すように、マルチファンクション装置１はマルチファンクションコントロール部２とプリンタモジュール部３とスキャナモジュール部４とファクシミリモジュール部５とを具備して構成され、プリンタモジュール部３、スキャナモジュール部４およびファクシミリモジュール部５は、インターフェース（以後、Ｉ／Ｆと称する）６によってマルチファンクションコントロール部２と接続されている。
【００１９】
マルチファンクションコントロール部２は、プリンタモジュール部３・プリンタモジュール部４・ファクシミリモジュール部５の各モジュール部を効率良く制御する。具体的には、制御用のＣＰＵ７と、ＣＰＵ７の動作プログラムを記憶するＲＯＭ８／ＲＡＭ９と、入出力用データを格納するデータ蓄積用メモリ１０と、ＩＰ網に接続するためのＬＡＮインターフェースであるＬＡＮ  ＩＦ基板１１とを具備して構成され、これらはシステムバス１２によって相互に接続している。
【００２０】
プリンタモジュール部３は、マルチファンクションコントロール部２のデータ蓄積用メモリ１０に蓄積されたデータを用紙に印刷する。
【００２１】
スキャナモジュール部４は、原稿を光学的に読み取り、読み取ったデータはマルチファンクションコントロール部２のデータ蓄積用メモリ１０に蓄積する。
【００２２】
ファクシミリモジュール部５は、ファクシミリモジュール部５を制御するＣＰＵ１３と、ＣＰＵ１３の動作プログラムを記憶するＲＯＭ１４／ＲＡＭ１５と、ＰＳＴＮ経由のデータの送受信を行う網制御部１６と、ＰＳＴＮ経由で受信したデータの復号化、スキャナモジュール部４で読み取ったデータの符号化、およびデータの解像度変換を行うＣｏｄｅｃ／解像度変換部１７と、Ｃｏｄｅｃ／解像度変換部１７で符号化したデータをＰＳＴＮを介してファクシミリ送信するＦＡＸ  Ｍｏｄｅｍ１８とを具備して構成され、これらはシステムバス１９によって相互に接続している。
【００２３】
図２は、マルチファンクション装置１の機能的な構成の一例を示すブロック図である。
【００２４】
図２に示すように、ファクシミリモジュール部５のＣＰＵ１３は、機能として、ＰＳＴＮ経由のファクシミリ通信かＩＰ網経由のファクシミリ通信かを判断する使用回線判断手段２０を有し、マルチファンクションコントロール部２のＣＰＵ７は、機能として、使用回線判断手段２０が判断したファクシミリ通信の使用回線をユーザに対して報知する使用回線報知手段２１を有する。
【００２５】
なお、ファクシミリ送信時における使用回線判断手段２０の使用回線の判断は、例えば、ダイヤルの「００００」の有無に基づく判断（この場合、「００００」有りがＰＳＴＮ経由、「００００」無しがＩＰ網経由と判断）、ダイヤルの「０５０」の有無に基づく判断（この場合、「０５０」無しがＰＳＴＮ経由、「０５０」有りがＩＰ網経由と判断）等がある。
【００２６】
また、使用回線報知手段２１は、報知として、音（音声、ブザー、メロディー等）、光（ランプ等）、コントロールパネルへの表示、プリント、ユーザ指定のメールアドレスへのメール報知、振動等がある。
【００２７】
次に、マルチファンクション装置１が行う使用回線報知の処理手順について図３に示すフローチャートを参照して説明する。
【００２８】
原稿をスキャンし（ステップＳ３０１）、スキャンデータをデータ蓄積用メモリに蓄積し（ステップＳ３０２）、使用回線を判断する（ステップＳ３０３）。
【００２９】
ＩＰ網経由ではないと判断した場合（ステップＳ３０４でＮＯ）、ＩＰ網以外でファクシミリ送信する旨を報知し（ステップＳ３０５）、ステップＳ３０６に進む。
【００３０】
ＩＰ網経由であると判断した場合（ステップＳ３０４でＹＥＳ）、ステップＳ３０６に進む。
【００３１】
ファクシミリ送信を行い（ステップＳ３０６）、使用回線報知の処理手順を終了する。
【００３２】
なお、上記処理手順において、使用回線を報知した際にユーザのファクシミリ送信の続行の許可／禁止の指示を促す構成も適用可能である。
【００３３】
ＩＰ網経由のファクシミリ送信でも、送信先と自局とが同一の事業者でない場合は通信費が有料になること現状である。そこで、本発明を適用したマルチファンクション装置１は、事業者固有番号を示すＩＰ網用ＦＡＸ番号の「０５０」の後４桁の番号に基づき、通信費の有無を報知する。
【００３４】
次に、マルチファンクション装置１が行う通信費有無の報知の処理手順について図４に示すフローチャートを参照して説明する。
【００３５】
原稿をスキャンし（ステップＳ４０１）、スキャンデータをデータ蓄積用メモリに蓄積し（ステップＳ４０２）、使用回線を判断する（ステップＳ４０３）。
【００３６】
ＩＰ網経由であると判断した場合（ステップＳ４０４でＹＥＳ）、同一事業者であるか否か確認する（ステップＳ４０５）。
【００３７】
同一事業者である場合（ステップＳ４０５でＹＥＳ）、ステップＳ４０７に進む。
【００３８】
ステップＳ４０４において、ＩＰ網経由ではないと判断した場合（ステップＳ４０４でＮＯ）、またはステップＳ４０５において、同一事業者ではない場合（ステップＳ４０５でＮＯ）、通信費が有料になる旨を報知し（ステップＳ４０６）、ステップＳ４０７に進む。
【００３９】
ファクシミリ送信を行い（ステップＳ４０７）、使用回線報知の処理手順を終了する。  なお、上記処理手順において、通信費の有無を報知した際にユーザのファクシミリ送信の続行の許可／禁止の指示を促す構成も適用可能である。
【図面の簡単な説明】
【００４０】
【図１】本発明を適用した複合機装置（以後、マルチファンクション装置と称する）１の構成例を示した図である。
【図２】マルチファンクション装置１の機能的な構成の一例を示すブロック図である。
【図３】マルチファンクション装置１が行う使用回線報知の処理手順を示すフローチャートである。
【図４】マルチファンクション装置１が行う通信費有無の報知の処理手順を示すフローチャートである。
【符号の説明】
【００４１】
１    マルチファンクション装置
２    マルチファンクションコントロール部
３    プリンタモジュール部
４    スキャナモジュール部
５    ファクシミリモジュール部
６    Ｉ／Ｆ
７    ＣＰＵ
８    ＲＯＭ
９    ＲＡＭ
１０    データ蓄積用メモリ
１１    ＬＡＮ  ＩＦ基板
１２    システムバス
１３    ＣＰＵ
１４    ＲＯＭ
１５    ＲＡＭ
１６    網制御部
１７    Ｃｏｄｅｃ／解像度変換部
１８    ＦＡＸ  Ｍｏｄｅｍ
１９    システムバス
２０    使用回線判断手段
２１    使用回線報知手段
【図１】
2006094025.tif 000003
【図２】
2006094025.tif 000004
【図３】
2006094025.tif 000005
【図４】
2006094025.tif 000006